(57)【要約】      （修正有）【課題】ネック部、背部、腰部、又は足部の両側を挟んで、二セットの按摩ヘッドにより当該部位を定点で按摩し、又は横に移動しながら按摩する挟み式マッサージ機を提供する。【解決手段】円弧形を呈する条状にされ、その両側にハンドル１１がそれぞれ形成されているフレーム１０と、フレーム１０の中央位置に固定されており、一つ以上のねじりバネを有する捩り中心が枢着されている中央シャフトと、その左側にある一セットのラグ穴が中央シャフトに枢着されており、ねじりバネの第１自由端に弾性的に押付けられ、その内部に第１按摩ユニットが設けられている右挟み台３０と、その右側にある一セットのラグ穴が中央シャフトに枢着されており、ねじりバネの第２自由端に弾性的に押付けられ、その内部に第２按摩ユニットが設けられている左挟み台４０と、を含む。【選択図】図１
0003191080.tif 000002
【実用新案登録請求の範囲】
【請求項１】
円弧形を呈する条状にされ、その両側にハンドルがそれぞれ形成されているフレームと、
前記フレームの中央位置に固定されており、一つ以上のねじりバネを有する捩り中心が枢着されている中央シャフトと、
その左側にある一セットのラグ穴が前記中央シャフトに枢着されており、前記ねじりバネの第１自由端に弾性的に押付けられて、その右側にある自由端が前記ハンドルから離れるように旋回し、その内部に第１按摩ユニットが設けられており、前記第１按摩ユニットから、ユーザのネック部と背部と腰部と足部との右側を定点で按摩し、又は左右に繰り返して移動しながら按摩する第１按摩ヘッドが突出している右挟み台と、
その右側にある一セットのラグ穴が前記中央シャフトに枢着されており、前記ねじりバネの第２自由端に弾性的に押付けられて、その左側にある自由端が前記ハンドルから離れるように旋回し、その内部に第２按摩ユニットが設けられており、前記第２按摩ユニットから、ユーザのネック部と背部と腰部と足部との左側を定点で按摩し、又は左右に繰り返して移動しながら按摩する第２按摩ヘッドが突出している左挟み台と、
を含み、
前記右挟み台の右側にある自由端と前記左挟み台の左側にある自由端は、互いに近接して按摩対象部位を挟むことを特徴とする挟み式マッサージ機。
【請求項２】
前記第１按摩ユニットは第１ケース部を含み、前記右挟み台の内部には、前記第１ケース部の横方向への移動に応じてレールが複数設けられており、前記第１ケース部には、これらの前記レールにそれぞれ対応する第１スライド溝が設けられており、前記第１ケース部の内部には、第１モータの第１ワームが設けられており、前記第１ワームは第１ギアユニットと噛合い、前記第１ギアユニットに第４ギア軸が固定されており、前記第４ギア軸は、前記第１按摩ヘッドと第１一方向ベアリングを伝動することが可能であり、前記第１一方向ベアリングは第１傘歯車を伝動することが可能であり、第１人字形溝付きねじ軸は、一端に第２傘歯車が固定されており、前記第１ケース部から外部に突出し、前記第１傘歯車と前記第２傘歯車は互いに噛合い、前記第１人字形溝付きねじ軸の他端に第１支持台が設けられており、前記第１支持台の内部には、第１歯形ブロックに弾性的に押付ける第１バネが設けられており、前記第１歯形ブロックは、前記第１人字形溝付きねじ軸の第１人字形溝と噛合うことを特徴とする、請求項１に記載の挟み式マッサージ機。
【請求項３】
前記第１ギアユニットは、第２下ギアと、第２上ギアと、第３下ギアと、第３上ギアと、第４ギアと、を含み、前記第１ワームは前記第２下ギアと噛合い、前記第２上ギアは、前記第２下ギアに固定されて一体となり、前記第３下ギアと噛合い、前記第３上ギアは、前記第３下ギアに固定されて一体となり、第４ギアと噛合い、前記第４ギアは前記第４ギア軸に固定されていることを特徴とする、請求項２に記載の挟み式マッサージ機。
【請求項４】
前記第２按摩ユニットは、第２ケース部を含み、前記左挟み台の内部には、前記第２ケース部の横方向への移動に応じてレールが複数設けられており、前記第２ケース部には、これらの前記レールにそれぞれ対応する第２スライド溝が設けられており、前記第２ケース部の内部には、第２モータの第２ワームが設けられており、前記第２ワームは第２ギアユニットと噛合い、前記第２ギアユニットに第７ギア軸が固定されており、前記第７ギア軸は、前記第２按摩ヘッドと第２一方向ベアリングを伝動することが可能であり、前記第２一方向ベアリングは第３傘歯車を伝動することが可能であり、第２人字形溝付きねじ軸は、一端に第４傘歯車が固定されており、前記第２ケース部から外部に突出し、前記第３傘歯車と前記第４傘歯車は互いに噛合い、前記第２人字形溝付きねじ軸の他端に第２支持台が設けられており、前記第２支持台の内部には、第２歯形ブロックに弾性的に押付ける第２バネが設けられており、前記第２歯形ブロックは、前記第２人字形溝付きねじ軸の第２人字形溝と噛合うことを特徴とする、請求項１に記載の挟み式マッサージ機。
【請求項５】
前記第２ギアユニットは、第５下ギアと、第５上ギアと、第６下ギアと、第６上ギアと、第７ギアと、を含み、前記第２ワームは前記第５下ギアと噛合い、前記第５上ギアは、前記第５下ギアに固定されて一体となり、前記第６下ギアと噛合い、前記第６上ギアは、前記第６下ギアに固定されて一体となり、第７ギアと噛合い、前記第７ギアは前記第７ギア軸に固定されていることを特徴とする、請求項４に記載の挟み式マッサージ機。
【請求項６】
円弧形を呈する条状にされ、その両側にハンドルがそれぞれ形成されているフレームと、
前記フレームの中央位置に固定されており、一つ以上のねじりバネを有する捩り中心が枢着されている中央シャフトと、
その左側にある一セットのラグ穴が前記中央シャフトに枢着されており、前記ねじりバネの第１自由端に弾性的に押付けられて、その右側にある自由端が前記ハンドルから離れるように旋回し、その内部に第１按摩ユニットが設けられており、前記第１按摩ユニットから、ユーザのネック部と背部と腰部と足部との右側を定点で按摩し、又は左右に繰り返して移動しながら按摩する第１按摩ヘッドが突出しており、前記第１按摩ユニットは第１ケース部を含み、前記右挟み台の内部には、前記第１ケース部の横方向への移動に応じてレールが複数設けられており、前記第１ケース部には、これらの前記レールにそれぞれ対応する第１スライド溝が設けられており、前記第１ケース部の内部には、第１モータの第１ワームが設けられており、前記第１ワームは第１ギアユニットと噛合い、前記第１ギアユニットに第４ギア軸が固定されており、前記第４ギア軸は、前記第１按摩ヘッドと第１一方向ベアリングを伝動することが可能であり、前記第１一方向ベアリングは第１傘歯車を伝動することが可能であり、第１人字形溝付きねじ軸は、一端に第２傘歯車が固定されており、前記第１ケース部から外部に突出し、前記第１傘歯車と前記第２傘歯車は互いに噛合い、前記第１人字形溝付きねじ軸の他端に第１支持台が設けられており、前記第１支持台の内部には、第１歯形ブロックに弾性的に押付ける第１バネが設けられており、前記第１歯形ブロックは、前記第１人字形溝付きねじ軸の第１人字形溝と噛合い、前記第１ギアユニットは、第２下ギアと、第２上ギアと、第３下ギアと、第３上ギアと、第４ギアと、を含み、前記第１ワームは前記第２下ギアと噛合い、前記第２上ギアは、前記第２下ギアに固定されて一体となり、前記第３下ギアと噛合い、前記第３上ギアは、前記第３下ギアに固定されて一体となり、第４ギアと噛合い、前記第４ギアは前記第４ギア軸に固定されている右挟み台と、
その右側にある一セットのラグ穴が前記中央シャフトに枢着されており、前記ねじりバネの第２自由端に弾性的に押付けられて、その左側にある自由端が前記ハンドルから離れるように旋回し、その内部に第２按摩ユニットが設けられており、前記第２按摩ユニットから、ユーザのネック部と背部と腰部と足部との左側を定点で按摩し、又は左右に繰り返して移動しながら按摩する第２按摩ヘッドが突出しており、前記第２按摩ユニットは、第２ケース部を含み、前記左挟み台の内部には、前記第２ケース部の横方向への移動に応じてレールが複数設けられており、前記第２ケース部には、これらの前記レールにそれぞれ対応する第２スライド溝が設けられており、前記第２ケース部の内部には、第２モータの第２ワームが設けられており、前記第２ワームは第２ギアユニットと噛合い、前記第２ギアユニットに第７ギア軸が固定されており、前記第７ギア軸は、前記第２按摩ヘッドと第２一方向ベアリングを伝動することが可能であり、前記第２一方向ベアリングは第３傘歯車を伝動することが可能であり、第２人字形溝付きねじ軸は、一端に第４傘歯車が固定されており、前記第２ケース部から外部に突出し、前記第３傘歯車と前記第４傘歯車は互いに噛合い、前記第２人字形溝付きねじ軸の他端に第２支持台が設けられており、前記第２支持台の内部には、第２歯形ブロックに弾性的に押付ける第２バネが設けられており、前記第２歯形ブロックは、前記第２人字形溝付きねじ軸の第２人字形溝と噛合い、前記第２ギアユニットは、第５下ギアと、第５上ギアと、第６下ギアと、第６上ギアと、第７ギアと、を含み、前記第２ワームは前記第５下ギアと噛合い、前記第５上ギアは、前記第５下ギアに固定されて一体となり、前記第６下ギアと噛合い、前記第６上ギアは、前記第６下ギアに固定されて一体となり、第７ギアと噛合い、前記第７ギアは前記第７ギア軸に固定されている左挟み台と、
を含むことを特徴とする挟み式マッサージ機。
【考案の詳細な説明】
【技術分野】
【０００１】
本考案は、マッサージ機に関し、特に、ネック部、背部、腰部、又は足部の両側を挟んで、二セットの按摩ヘッドにより当該部位を定点で按摩し、又は左右に繰り返して移動しながら按摩する挟み式マッサージ機に関するものである。
【背景技術】
【０００２】
商工業が高度に発展されている現在では、国民は生理的及び心理的なストレスが極めて高い。心理的なストレスは、少し休むと解消することが可能であるが、生理的なストレスの解消はマッサージ機を利用しないと解消できない。市販しているマッサージ機は、按摩方式が単純であるため、例えば背部を按摩したい場合には、背部マッサージ機を購入することが必要であり、足部を按摩したい場合には、足部マッサージ機を別に購入することが必要である。このように、金銭を無駄に浪費し、そして収納スペースをかなり掛かる。
【０００３】
上記の問題を解決するために、按摩ベッドなどの大型のマッサージ機が開発されて市販しているが、このような大型のマッサージ機は、据付スペースをかなり掛かり、一回で一つの部位しかを按摩できず、そして価格が高いため、国民は気軽に購入することができない。
【考案の概要】
【考案が解決しようとする課題】
【０００４】
本考案の主な目的は、ネック部、背部、腰部、又は足部の両側を挟んで、二セットの按摩ヘッドにより当該部位を定点で按摩し、又は左右に繰り返して移動しながら按摩する挟み式マッサージ機を提供することにある。
【課題を解決するための手段】
【０００５】
本考案の挟み式マッサージ機によると、円弧形を呈する条状にされ、その両側にハンドルがそれぞれ形成されているフレームと、フレームの中央位置に固定されており、一つ以上のねじりバネを有する捩り中心が枢着されている中央シャフトと、その左側にある一セットのラグ穴が中央シャフトに枢着されており、ねじりバネの第１自由端に弾性的に押付けられて、その右側にある自由端がハンドルから離れるように旋回し、その内部に第１按摩ユニットが設けられており、第１按摩ユニットから、ユーザのネック部と背部と腰部と足部との右側を定点で按摩し、又は左右に繰り返して移動しながら按摩する第１按摩ヘッドが突出している右挟み台と、その右側にある一セットのラグ穴が中央シャフトに枢着されており、ねじりバネの第２自由端に弾性的に押付けられて、その左側にある自由端がハンドルから離れるように旋回し、その内部に第２按摩ユニットが設けられており、第２按摩ユニットから、ユーザのネック部と背部と腰部と足部との左側を定点で按摩し、又は左右に繰り返して移動しながら按摩する第２按摩ヘッドが突出している左挟み台と、を含み、右挟み台の右側にある自由端と左挟み台の左側にある自由端は、互いに近接して按摩対象部位を挟むことを特徴とする。
【０００６】
本考案の挟み式マッサージ機によると、第１按摩ユニットは第１ケース部を含み、右挟み台の内部には、第１ケース部の横方向への移動に応じてレールが複数設けられており、第１ケース部には、これらのレールにそれぞれ対応する第１スライド溝が設けられており、第１ケース部の内部には、第１モータの第１ワームが設けられており、第１ワームは第１ギアユニットと噛合い、第１ギアユニットに第４ギア軸が固定されており、第４ギア軸は、第１按摩ヘッドと第１一方向ベアリングを伝動することが可能であり、第１一方向ベアリングは第１傘歯車を伝動することが可能であり、第１人字形溝付きねじ軸は、一端に第２傘歯車が固定されており、第１ケース部から外部に突出し、第１傘歯車と第２傘歯車は互いに噛合い、第１人字形溝付きねじ軸の他端に第１支持台が設けられており、第１支持台の内部には、第１歯形ブロックに弾性的に押付ける第１バネが設けられており、第１歯形ブロックは、第１人字形溝付きねじ軸の第１人字形溝と噛合うことを特徴とする。
【０００７】
本考案の挟み式マッサージ機によると、第１ギアユニットは、第２下ギアと、第２上ギアと、第３下ギアと、第３上ギアと、第４ギアと、を含み、第１ワームは第２下ギアと噛合い、第２上ギアは、第２下ギアに固定されて一体となり、第３下ギアと噛合い、第３上ギアは、第３下ギアに固定されて一体となり、第４ギアと噛合い、第４ギアは第４ギア軸に固定されていることを特徴とする。
【０００８】
本考案の挟み式マッサージ機によると、第２按摩ユニットは、第２ケース部を含み、左挟み台の内部には、第２ケース部の横方向への移動に応じてレールが複数設けられており、第２ケース部には、これらのレールにそれぞれ対応する第２スライド溝が設けられており、第２ケース部の内部には、第２モータの第２ワームが設けられており、第２ワームは第２ギアユニットと噛合い、第２ギアユニットに第７ギア軸が固定されており、第７ギア軸は、第２按摩ヘッドと第２一方向ベアリングを伝動することが可能であり、第２一方向ベアリングは第３傘歯車を伝動することが可能であり、第２人字形溝付きねじ軸は、一端に第４傘歯車が固定されており、第２ケース部から外部に突出し、第３傘歯車と第４傘歯車は互いに噛合い、第２人字形溝付きねじ軸の他端に第２支持台が設けられており、第２支持台の内部には、第２歯形ブロックに弾性的に押付ける第２バネが設けられており、第２歯形ブロックは、第２人字形溝付きねじ軸の第２人字形溝と噛合うことを特徴とする。
【０００９】
本考案の挟み式マッサージ機によると、第２ギアユニットは、第５下ギアと、第５上ギアと、第６下ギアと、第６上ギアと、第７ギアと、を含み、第２ワームは第５下ギアと噛合い、第５上ギアは、第５下ギアに固定されて一体となり、第６下ギアと噛合い、第６上ギアは、第６下ギアに固定されて一体となり、第７ギアと噛合い、第７ギアは第７ギア軸に固定されていることを特徴とする。
【００１０】
本考案の挟み式マッサージ機によると、円弧形を呈する条状にされ、その両側にハンドルがそれぞれ形成されているフレームと、フレームの中央位置に固定されており、一つ以上のねじりバネを有する捩り中心が枢着されている中央シャフトと、その左側にある一セットのラグ穴が中央シャフトに枢着されており、ねじりバネの第１自由端に弾性的に押付けられて、その右側にある自由端がハンドルから離れるように旋回し、その内部に第１按摩ユニットが設けられており、第１按摩ユニットから、ユーザのネック部と背部と腰部と足部との右側を定点で按摩し、又は左右に繰り返して移動しながら按摩する第１按摩ヘッドが突出しており、第１按摩ユニットは第１ケース部を含み、右挟み台の内部には、第１ケース部の横方向への移動に応じてレールが複数設けられており、第１ケース部には、これらのレールにそれぞれ対応する第１スライド溝が設けられており、第１ケース部の内部には、第１モータの第１ワームが設けられており、第１ワームは第１ギアユニットと噛合い、第１ギアユニットに第４ギア軸が固定されており、第４ギア軸は、第１按摩ヘッドと第１一方向ベアリングを伝動することが可能であり、第１一方向ベアリングは第１傘歯車を伝動することが可能であり、第１人字形溝付きねじ軸は、一端に第２傘歯車が固定されており、第１ケース部から外部に突出し、第１傘歯車と第２傘歯車は互いに噛合い、第１人字形溝付きねじ軸の他端に第１支持台が設けられており、第１支持台の内部には、第１歯形ブロックに弾性的に押付ける第１バネが設けられており、第１歯形ブロックは、第１人字形溝付きねじ軸の第１人字形溝と噛合い、第１ギアユニットは、第２下ギアと、第２上ギアと、第３下ギアと、第３上ギアと、第４ギアと、を含み、第１ワームは第２下ギアと噛合い、第２上ギアは、第２下ギアに固定されて一体となり、第３下ギアと噛合い、第３上ギアは、第３下ギアに固定されて一体となり、第４ギアと噛合い、第４ギアは第４ギア軸に固定されている右挟み台と、その右側にある一セットのラグ穴が中央シャフトに枢着されており、ねじりバネの第２自由端に弾性的に押付けられて、その左側にある自由端がハンドルから離れるように旋回し、その内部に第２按摩ユニットが設けられており、第２按摩ユニットから、ユーザのネック部と背部と腰部と足部との左側を定点で按摩し、又は左右に繰り返して移動しながら按摩する第２按摩ヘッドが突出しており、第２按摩ユニットは、第２ケース部を含み、左挟み台の内部には、第２ケース部の横方向への移動に応じてレールが複数設けられており、第２ケース部には、これらのレールにそれぞれ対応する第２スライド溝が設けられており、第２ケース部の内部には、第２モータの第２ワームが設けられており、第２ワームは第２ギアユニットと噛合い、第２ギアユニットに第７ギア軸が固定されており、第７ギア軸は、第２按摩ヘッドと第２一方向ベアリングを伝動することが可能であり、第２一方向ベアリングは第３傘歯車を伝動することが可能であり、第２人字形溝付きねじ軸は、一端に第４傘歯車が固定されており、第２ケース部から外部に突出し、第３傘歯車と第４傘歯車は互いに噛合い、第２人字形溝付きねじ軸の他端に第２支持台が設けられており、第２支持台の内部には、第２歯形ブロックに弾性的に押付ける第２バネが設けられており、第２歯形ブロックは、第２人字形溝付きねじ軸の第２人字形溝と噛合い、第２ギアユニットは、第５下ギアと、第５上ギアと、第６下ギアと、第６上ギアと、第７ギアと、を含み、第２ワームは第５下ギアと噛合い、第５上ギアは、第５下ギアに固定されて一体となり、第６下ギアと噛合い、第６上ギアは、第６下ギアに固定されて一体となり、第７ギアと噛合い、第７ギアは第７ギア軸に固定されている左挟み台と、を含むことを特徴とする。
【考案の効果】
【００１１】
本考案の挟み式マッサージ機によれば、ネック部、背部、腰部、又は足部の両側を挟んで、二セットの按摩ヘッドにより当該部位を定点で按摩し、又は左右に繰り返して移動しながら按摩することが可能であるという効果を有する。
【図面の簡単な説明】
【００１２】
【図１】本考案の一実施例の組合済み状態を示す斜視図である。
【図２】本考案の一実施例を示す分解斜視図である。
【図３】本考案の一実施例の左右挟み台を示す分解斜視図である。
【図４】本考案の一実施例の第１按摩ユニットを示す分解斜視図である。
【図５】本考案の一実施例の第２按摩ユニットを示す分解斜視図である。
【図６】本考案の一実施例の第１按摩ユニットの一部の組合済み状態を示す斜視図である。
【図７】本考案の一実施例を示す断面図である。
【図８】本考案の一実施例を人体の曲線に合わせて挟み、又は開く状態を示す図である。
【図９】本考案の一実施例の第１按摩ユニットと第２按摩ユニットが左右に移動しながら按摩する動作を示す図である。
【図１０】本考案の一実施例により肩部とネック部を按摩する使用状態を示す図である。
【図１１】本考案の一実施例により腰部を按摩する使用状態を示す図である。
【図１２】本考案の一実施例により足部を按摩する使用状態を示す図である。
【考案を実施するための最良の形態】
【００１３】
以下、本考案の実施の形態を図面に基づいて説明する。
図１から図１２を参照する。図１は本考案の一実施例の組合済み状態を示す斜視図であり、図２は本考案の一実施例を示す分解斜視図であり、図３は本考案の一実施例の左右挟み台を示す分解斜視図であり、図４は本考案の一実施例の第１按摩ユニットを示す分解斜視図であり、図５は本考案の一実施例の第２按摩ユニットを示す分解斜視図であり、図６は本考案の一実施例の第１按摩ユニットの一部の組合済み状態を示す斜視図であり、図７は本考案の一実施例を示す断面図であり、図８は、本考案の一実施例を人体の曲線に合わせて挟み、又は開く状態を示す図であり、図９は本考案の一実施例の第１按摩ユニットと第２按摩ユニットが横に移動しながら按摩する動作を示す図であり、図１０は本考案の一実施例により肩部とネック部を按摩する使用状態を示す図であり、図１１は本考案の一実施例により腰部を按摩する使用状態を示す図であり、図１２は本考案の一実施例により足部を按摩する使用状態を示す図である。本実施例の挟み式マッサージ機は、フレーム１０と、中央シャフト２０と、右挟み台３０と、左挟み台４０と、を含む。
【００１４】
フレーム１０は、円弧形を呈する条状にされ、その両側にハンドル１１がそれぞれ形成されている。
【００１５】
中央シャフト２０は、フレーム１０の中央位置に固定されており、一つ以上のねじりバネ２１を有する捩り中心２１１が枢着されている。
【００１６】
右挟み台３０は、その左側にある一セットのラグ穴３１が中央シャフト２０に枢着されている。ねじりバネ２１の第１自由端２１２に弾性的に押付けられて、右挟み台３０の右側にある自由端３２がハンドル１１から離れるように旋回する。右挟み台３０の内部に第１按摩ユニット５０が設けられている。第１按摩ユニット５０から、ユーザのネック部と背部と腰部と足部との右側を定点で按摩し、又は左右に繰り返して移動しながら按摩する第１按摩ヘッド５６が突出している。
【００１７】
左挟み台４０は、その右側にある一セットのラグ穴４１が中央シャフト２０に枢着されている。ねじりバネ２１の第２自由端２１３に弾性的に押付けられて、左挟み台４０の左側にある自由端４２がハンドルから離れるように旋回する。左挟み台４０の内部に第２按摩ユニット６０が設けられている。第２按摩ユニット６０から、ユーザのネック部と背部と腰部と足部との左側を定点で按摩し、又は左右に繰り返して移動しながら按摩する第２按摩ヘッド６６が突出している。
【００１８】
第１按摩ユニット５０は第１ケース部５１を含む。右挟み台３０の内部には、第１ケース部５１の横方向への移動に応じてレール３３が複数設けられている。第１ケース部５１には、これらのレール３３にそれぞれ対応する第１スライド溝５１１が設けられている。第１ケース部５１の内部には、第１ギアユニット５３が設けられている。第１ギアユニット５３は、第２下ギア５３１と、第２上ギア５３２と、第３下ギア５４１と、第３上ギア５４２と、第４ギア５５１と、を含む。第１ケース部５１の内部には、第１モータ５２の第１ワーム５２１が設けられている。第１ワーム５２１は第２下ギア５３１と噛合う。第２上ギア５３２は、第２下ギア５３１に固定されて一体となり、第３下ギア５４１と噛合う。第３上ギア５４２は、第３下ギア５４１に固定されて一体となり、第４ギア５５１と噛合う。第４ギア５５１は第４ギア軸５５２に固定されている。第４ギア５５１は、第１按摩ヘッド５６と第１一方向ベアリング５５３を伝動することが可能である。第１一方向ベアリング５５３は第１傘歯車５７を伝動することが可能である。第１人字形溝付きねじ軸５８は、一端に第２傘歯車５８１が固定されており、第１ケース部５１から外部に突出する。第１傘歯車５７と第２傘歯車５８１は互いに噛合う。第１人字形溝付きねじ軸５８の他端に第１支持台５９が設けられている。第１支持台５９の内部には、第１歯形ブロック５９２に弾性的に押付ける第１バネ５９１が設けられている。第１歯形ブロック５９２は、第１人字形溝付きねじ軸５８の第１人字形溝５８２と噛合う。このように、第１人字形溝付きねじ軸５８を回転しているときには、第１歯形ブロック５９２が押付けられて左方に移動して、左方の限界に到達すると右方に移動して、右方の限界に到達すると左方に移動する。すなわち、このような移動は繰り返される。第１モータ５２の第１ワーム５２１は、第１ギアユニット５３を駆動して、第４ギア軸５５２を時計方向に回転する。このとき、第１一方向ベアリング５５３が駆動されて回転して、第１傘歯車５７、第２傘歯車５８１及び第１人字形溝付きねじ軸５８が駆動されて回転して、第１ケース部５１は、第１人字形溝付きねじ軸５８に駆動されて左方に移動して、左方の限界に到達すると右方に移動して、右方の限界に到達すると左方に移動する。すなわち、このような移動は繰り返される。そして第４ギア軸５５２は第１按摩ヘッド５６を駆動して回転する。これは、本考案の挟み式マッサージ機の左右に移動しながら按摩するモードである。第１モータ５２の第１ワーム５２１が第１ギアユニット５３を駆動して第４ギア軸５５２を反時計方向に回転するときには、第１一方向ベアリング５５３が空転し、第１ケース部５１が静止し、このとき、第４ギア軸５５２は第１按摩ヘッド５６を駆動して回転する。これは、本考案の挟み式マッサージ機の定点で按摩するモードである。
【００１９】
第２按摩ユニット６０は第２ケース部６１を含む。左挟み台４０の内部には、第２ケース部６１の横方向への移動に応じてレール４３が複数設けられている。第２ケース部６１には、これらのレール４３にそれぞれ対応する第２スライド溝６１１が設けられている。第２ケース部６１の内部には、第２ギアユニット６３が設けられている。第２ギアユニット６３は、第５下ギア６３１と、第５上ギア６３２と、第６下ギア６４１と、第６上ギア６４２と、第７ギア６５１と、を含む。第２ケース部６１の内部には、第２モータ６２の第２ワーム６２１が設けられている。第２ワーム６２１は第５下ギア６３１と噛合う。第５上ギア６３２は、第５下ギア６３１に固定されて一体となり、第６下ギア６４１と噛合う。第６上ギア６４２は、第６下ギア６４１に固定されて一体となり、第７ギア６５１と噛合う。第７ギア６５１は第７ギア軸６５２に固定されている。第７ギア６５１は、第２按摩ヘッド６６と第２一方向ベアリング６５３を伝動することが可能である。第２一方向ベアリング６５３は第３傘歯車６７を伝動することが可能である。第２人字形溝付きねじ軸６８は、一端に第４傘歯車６８１が固定されており、第２ケース部６１から外部に突出する。第３傘歯車６７と第４傘歯車６８１は互いに噛合う。第２人字形溝付きねじ軸６８の他端に第２支持台６９が設けられている。第２支持台６９の内部には、第２歯形ブロック６９２に弾性的に押付ける第２バネ６９１が設けられている。第２歯形ブロック６９２は、第２人字形溝付きねじ軸６８の第２人字形溝６８２と噛合う。このように、第２人字形溝付きねじ軸６８を回転しているときには、第２歯形ブロック６９２が押付けられて左方に移動して、左方の限界に到達すると右方に移動して、右方の限界に到達すると左方に移動する。すなわち、このような移動は繰り返される。第２モータ６２の第２ワーム６２１は、第２ギアユニット６３を駆動して、第７ギア軸６５２を時計方向に回転する。このとき、第２一方向ベアリング６５３が駆動されて回転して、第３傘歯車６７、第４傘歯車６８１及び第２人字形溝付きねじ軸６８が駆動されて回転して、第２ケース部６１は、第２人字形溝付きねじ軸６８に駆動されて左方に移動して、左方の限界に到達すると右方に移動して、右方の限界に到達すると左方に移動する。すなわち、このような移動は繰り返される。そして第７ギア軸６５２は第２按摩ヘッド６６を駆動して回転する。これは、本考案の挟み式マッサージ機の左右に移動しながら按摩するモードである。第２モータ６２の第２ワーム６２１が第２ギアユニット６３を駆動して第７ギア軸６５２を反時計方向に回転するときには、第２一方向ベアリング６５３が空転し、第２ケース部６１が静止し、このとき、第７ギア軸６５２は第２按摩ヘッド６６を駆動して回転する。これは、本考案の挟み式マッサージ機の定点で按摩するモードである。
【００２０】
図８から図１２を参照する。本考案の挟み式マッサージ機は、人体の曲線に合わせて挟み、又は開くことが可能である。第１按摩ヘッド５６と第２按摩ヘッド６６は、人体のツボを有効に按摩することが可能である。フレーム１０の両端にそれぞれ設けられているハンドル１１を握って適当な力を加えると、本考案の挟み式マッサージ機により人体を迅速に按摩することが可能である。第１按摩ヘッド５６と第２按摩ヘッド６６は、人体を、定点で按摩し、又は左右に繰り返して移動しながら按摩することが可能である。
【産業上の利用可能性】
【００２１】
本考案は、マッサージ機に適用することができる。
【符号の説明】
【００２２】
１０  フレーム
１１  ハンドル
２０  中央シャフト
２１  ねじりバネ
３０  右挟み台
３１  ラグ穴
３２  右側自由端
３３  レール
４０  左挟み台
４１  ラグ穴
４２  左側自由端
４３  レール
５０  第１按摩ユニット
５１  第１ケース部
５２  第１モータ
５３  第１ギアユニット
５６  第１按摩ヘッド
５７  第１傘歯車
５８  第１人字形溝付きねじ軸
５９  第１支持台
６０  第２按摩ユニット
６１  第２ケース部
６２  第２モータ
６３  第２ギアユニット
６６  第２按摩ヘッド
６７  第３傘歯車
６８  第２人字形溝付きねじ軸
６９  第２支持台
２１１  捩り中心
２１２  第１自由端
２１３  第２自由端
５１１  第１スライド溝
５２１  第１ワーム
５３１  第２下ギア
５３２  第２上ギア
５４１  第３下ギア
５４２  第３上ギア
５５１  第４ギア
５５２  第４ギア軸
５５３  第１一方向ベアリング
５８１  第２傘歯車
５８２  第１人字形溝
５９１  第１バネ
５９２  第１歯形ブロック
６１１  第２スライド溝
６２１  第２ワーム
６３１  第５下ギア
６３２  第５上ギア
６４１  第６下ギア
６４２  第６上ギア
６５１  第７ギア
６５２  第７ギア軸
６５３  第２一方向ベアリング
６８１  第４傘歯車
６８２  第２人字形溝
６９１  第２バネ
６９２  第２歯形ブロック
【図１】
0003191080.tif 000003
【図２】
0003191080.tif 000004
【図３】
0003191080.tif 000005
【図４】
0003191080.tif 000006
【図５】
0003191080.tif 000007
【図６】
0003191080.tif 000008
【図７】
0003191080.tif 000009
【図８】
0003191080.tif 000010
【図９】
0003191080.tif 000011
【図１０】
0003191080.tif 000012
【図１１】
0003191080.tif 000013
【図１２】
0003191080.tif 000014